(57)【要約】  【課題】  ビデオビットストリームの復号出力装置において、再生時間を早めるために復号画像のスキップが発生した場合、スキップ前後の画の連続性の損失を最小限に低減させ、スムーズな動画再生を行う装置を提供する。  【解決手段】  再生時間を早めるため、復号画像のスキップが発生した場合は、復号化した画像のトップフィールドまたはボトムフィールドのスキップを行い、フィールドのスキップから次のフィールドのスキップが発生するまでのフィールド反転が発生する期間は、トップフィールドまたはボトムフィールドの複数ラインから補間した画像を出力することにより、スキップ画像前後の動きの連続性の損失を最小限に抑えることができ、より滑らかな動画再生を実現することができる。【選択図】  図１
2005348169.tif 000002
【特許請求の範囲】
【請求項１】
ビデオビットストリームを復号出力するビデオビットストリーム復号出力装置において、
入力されたビデオビットストリームの復号化処理を行う復号手段と、
前記復号手段によって復号化されたフレームを格納する第１のメモリ手段と、
前記第１のメモリ手段に格納されたフレームの奇数ラインを含むトップフィールドまたは偶数ラインを含むボトムフィールドの補間処理を行う画像補間手段と、
前記画像補間手段によって補間されたフレームを格納する第２のメモリ手段と、
前記ビデオビットストリーム中の情報または外部から入力された情報から、次に出力予定のフィールドを出力するかどうかを判定し、出力しない場合に、前記出力予定フィールドの次のフィールドから出力するためのスキップ信号と、前記第１のメモリ手段または前記第２のメモリ手段への接続を切替えるための切替信号を出力する制御手段と、
前記第１のメモリ手段に格納されたフィールドの出力と、前記第２のメモリ手段に格納されたフィールドの出力とを入力とし、前記制御手段からの切替信号により出力を切り替える切替手段と、
映像同期信号の出力を行う映像同期信号生成手段と、
前記切替手段から出力されたフィールドを、前記映像同期信号に多重して映像出力を行う映像出力手段と、を備えた、
ことを特徴とするビデオビットストリーム復号出力装置。
【請求項２】
ビデオビットストリームを復号出力するビデオビットストリーム復号出力装置において、
入力されたビデオビットストリームの復号化処理を行う復号手段と、
前記復号手段によって復号化されたフレームを格納する第１のメモリ手段と、
前記第１のメモリ手段に格納された複数のフィールドを用いて補間処理を行う画像補間手段と、
前記画像補間手段によって補間されたフレームを格納する第２のメモリ手段と、
前記ビデオビットストリーム中の情報または外部から入力された情報から、次に出力予定のフィールドを出力するか否かを判定し、出力しない場合に、前記出力予定フィールドの次のフィールドから出力するためのスキップ信号と、前記第１のメモリ手段または前記第２のメモリ手段への接続を切替えるための切替信号を出力する制御手段と、
前記第１のメモリ手段に格納されたフィールドの出力と、前記第２のメモリ手段に格納されたフィールドの出力とを入力とし、前記制御手段からの切替信号により出力を切り替える切替手段と、
映像同期信号の出力を行う映像同期信号生成手段と、
前記切替手段から出力されたフィールドを、前記映像同期信号に多重して映像出力を行う映像出力手段と、を備えた、
ことを特徴とするビデオビットストリーム復号出力装置。
【請求項３】
ビデオビットストリームを復号出力するビデオビットストリーム復号出力装置において、
入力されたビデオビットストリームの復号化処理を行う復号手段と、
前記復号手段によって復号化されたフレームを格納する第１のメモリ手段と、
前記第１のメモリ手段に格納されたフレームを入力とし、該入力されたフレームの信号を所定の手順に従って出力する画像補間手段と、
前記画像補間手段から出力されたフレームを格納する第２のメモリ手段と、
前記画像補間手段は、前記所定の手順として、前記第１のメモリ手段に格納されたフレームの奇数ラインを、前記第２のメモリ手段の偶数ラインへ出力し、前記第１のメモリ手段に格納されたフレームの偶数ラインを、前記第２のメモリ手段の奇数ラインへ出力し、前記第１のメモリ手段に格納されたフレームの最後のラインを出力しないものであり、
前記ビデオビットストリーム中の情報または外部から入力された情報から、次に出力予定のフィールドを出力するか否かを判定し、出力しない場合に、前記出力予定フィールドの次のフィールドから出力するためのスキップ信号と、前記第１のメモリ手段または前記第２のメモリ手段への接続を切替えるための切替信号を出力する制御手段と、
前記第１のメモリ手段に格納されたフィールドの出力と、前記第２のメモリ手段に格納されたフィールドの出力とを入力とし、前記制御手段からの切替信号により出力を切り替える切替手段と、
映像同期信号の出力を行う映像同期信号生成手段と、
前記切替手段から出力されたフィールドを、前記映像同期信号に多重して映像出力を行う映像出力手段と、を備えた、
ことを特徴とするビデオビットストリーム復号出力装置。
【請求項４】
ビデオビットストリームを復号出力する復号出力するビデオビットストリーム復号出力装置において、
入力されたビデオビットストリームの復号化処理を行うとともに、ビデオビットストリーム中の情報から復号画像がプログレッシブ画像であることを判定する復号処理手段と、
前記復号手段によって復号化されたフレームを格納する第１のメモリ手段と、
前記第１のメモリ手段に格納されたフレームの奇数ラインを含むトップフィールドまたは偶数ラインを含むボトムフィールドの補間処理を行う画像補間手段と、
前記画像補間手段によって補間されたフレームを格納する第２のメモリ手段と、
上記入力されたビデオビットストリームがプログレッシブ画像ではない場合は、前記ビデオビットストリーム中の情報または外部から入力された情報から、次に出力予定のフィールドを出力するか否かを判定し、出力しない場合に、前記出力予定フィールドの次のフィールドから出力するためのスキップ信号と、前記第１のメモリ手段または前記第２のメモリ手段への接続を切替えるための切替信号を出力し、上記入力されたビデオビットストリームがプログレッシブ画像であった場合は、画像補間処理を行わないと判定し、切替信号を出力しない制御手段と、
前記第１のメモリ手段に格納されたフィールドの出力と、前記第２のメモリ手段に格納されたフィールドの出力とを入力とし、前記制御手段からの切替信号により出力を切り替える切替手段と、
映像同期信号の出力を行う映像同期信号生成手段と、
前記切替手段から出力されたフィールドを、前記映像同期信号に多重して映像出力を行う映像出力手段と、を備えた、
ことを特徴とするビデオビットストリーム復号出力装置。
【請求項５】
ビデオビットストリームを復号出力するビデオビットストリーム復号出力装置において、
ビデオビットストリームの復号化処理を行うとともに、ビデオビットストリーム中の情報からフィールド単位で符号処理された画像かつ双方向予測符号化画像であることを判定する復号手段と、
前記復号手段によって復号化されたフレームを格納する第１のメモリ手段と、
前記第１のメモリ手段に格納されたフレームの奇数ラインを含むトップフィールドまたは偶数ラインを含むボトムフィールドの補間処理を行う画像補間手段と、
前記画像補間手段によって補間されたフレームを格納する第２のメモリ手段と、
上記入力されたビットストリームが、フィールド単位で符号処理された画像でかつ双方向予測符号化画像（Ｂピクチャ）ではない場合は、前記ビデオビットストリーム中の情報または外部から入力された情報から次に出力予定のフィールドを出力するか否かを判定し、出力しない場合に前記出力予定フィールドの次のフィールドから出力するためのスキップ信号と、前記第１のメモリ手段または前記第２のメモリ手段への接続を切替えるための切替信号を出力し、上記入力されたビットストリームが、フィールド単位で符号処理された画像でかつ双方向予測符号化画像（Ｂピクチャ）である場合は、１フィールド復号処理信号を出力する制御手段と、
前記第１のメモリ手段に格納されたフィールドの出力と、前記第２のメモリ手段に格納されたフィールドの出力とを入力とし、前記制御手段からの切替信号により出力を切り替える切替手段と、
映像同期信号の出力を行う映像同期信号生成手段と、
前記切替手段から出力されたフィールドを前記映像同期信号に多重して映像出力を行う映像出力手段と、を備え、
前記復号処理手段は、１フィールド復号処理信号を受けたときは、指定されたフィールドの復号処理を行わない、
ことを特徴とするビデオビットストリーム復号出力装置。
【発明の詳細な説明】
【技術分野】
【０００１】
本発明は、蓄積記憶装置に格納されたビデオビットストリームを再生する際に用いるビデオビットストリーム復号出力装置において、動画像の再生品質の向上を図ったものに関するものである。
【背景技術】
【０００２】
近年、ＤＶＤ、デジタルテレビ等の普及により、マルチメディア技術への関心が高まっている。ＭＰＥＧ技術等により符号化されたビデオビットストリームを復号・再生する装置において、より高画質化、高機能化が求められている。
【０００３】
高機能化の例としては、日本・アメリカを代表とするＮＴＳＣ方式でエンコードされたＤＶＤディスクを、ヨーロッパ・アジア諸国を代表とするＰＡＬ方式のテレビで再生可能とする、いわゆるＮＴＳＣ→ＰＡＬ変換機能や、特殊再生での音声付倍速機能などである。
【０００４】
上記の機能を実現するためには、ビデオビットストリームの画像をスキップして出力することが必要となる。しかしながら、単純にフレームをスキップすると、スキップ前後の画像の連続性の損失が大きく、ぎくつきが目立つため、出来るだけスムーズに再生するための方法が必要となった。従来、この課題を解決する方法として、例えば特許文献１等に示されるものがあった。
【特許文献１】特開２００３−１６９２９６号公報
【０００５】
上記特許文献１記載の方法は、図９に示すように、復号処理を行った画像のスキップ近傍の画像(ｃおよびｄの画像)を用いて、合成画像を生成し、出力することにより、１フレーム出力時間分、画像が遅れている状態を解消する方法である。
【０００６】
この方法は、単純に１枚の画像の復号処理を行わずにスキップする方法と比較すると、スキップ画像前後の連続性の損失を低減させることができ、ぎくつきが目立たないように改善することができるものであった。
【発明の開示】
【発明が解決しようとする課題】
【０００７】
従来のビデオビットストリーム復号出力装置は以上のように構成されており、画像をスキップして出力する際の画像の連続性を損失を低減させることができるものであったが、上記の方法では、動きの激しい動画像の場合、合成し生成した画像が元画像からかけ離れ、逆に不自然に見える場合があるという問題点があった。また、フレーム単位でスキップを行うため、スキップ画像前後の連続性の損失は、依然として大きいという問題点があった。
【０００８】
本発明は以上のような従来の問題点を解消するためになされたもので、動きの激しい動画像の場合においても、スキップ画像前後の動きの連続性の損失を最小限に抑え、スムーズな動画再生を実現することができる、ビデオビットストリーム復号出力装置を提供することを目的とする。
【課題を解決するための手段】
【０００９】
この目的を達成するため、本発明にかかるビデオビットストリーム復号出力装置は、復号化された画像のトップフィールドまたはボトムフィールドのスキップを判定する制御手段と、フィールドをスキップすることによりその後出力するフィールドが反転することを防止するよう画像補間を行う補間手段とを備えたものである。
【００１０】
すなわち、本発明の請求項１にかかるビデオビットストリーム復号出力装置は、ビデオビットストリームの復号化処理を行う復号手段と、前記復号手段によって復号化されたフレームを格納する第１のメモリ手段と、前記第１のメモリ手段に格納されたフレームの奇数ラインを含むトップフィールドまたは偶数ラインを含むボトムフィールドの補間処理を行う画像補間手段と、前記画像補間手段によって補間されたフレームを格納する第２のメモリ手段と、前記ビデオビットストリーム中の情報または外部から入力された情報から、次に出力予定のフィールドを出力するかどうかを判定し、出力しない場合に、前記出力予定フィールドの次のフィールドから出力するためのスキップ信号と、前記第１のメモリ手段または前記第２のメモリ手段へ接続を切替えるための切替信号を出力する制御手段と、前記第１のメモリ手段に格納されたフィールドの出力と、前記第２のメモリ手段に格納されたフィールドの出力とを入力とし、前記制御手段からの切替信号により出力を切り替える切替手段と、映像同期信号の出力を行う映像同期信号生成手段と、前記切替手段から出力されたフィールドを、前記映像同期信号に多重して映像出力を行う映像出力手段とを備えた、ことを特徴とするものである。
【００１１】
また、本発明の請求項２にかかるビデオビットストリーム復号出力装置は、ビデオビットストリームの復号化処理を行う復号手段と、前記復号手段によって復号化されたフレームを格納する第１のメモリ手段と、前記第１のメモリ手段に格納された複数フィールドから補間処理を行う画像補間手段と、前記画像補間手段によって補間されたフレームを格納する第２のメモリ手段と、前記ビデオビットストリーム中の情報または外部から入力された情報から、次に出力予定のフィールドを出力するかどうかを判定し、出力しない場合に、前記出力予定フィールドの次のフィールドから出力するためのスキップ信号と、前記第１のメモリ手段または前記第２のメモリ手段への接続を切替えるための切替信号を出力する制御手段と、前記第１のメモリ手段に格納されたフィールドの出力と、前記第２のメモリ手段に格納されたフィールドの出力を入力とし、前記制御手段からの切替信号により出力を切り替える切替手段と、映像同期信号の出力を行う映像同期信号生成手段と、前記切替手段から出力されたフィールドを、前記映像同期信号に多重して映像出力を行う映像出力手段とを備えた、ことを特徴とするものである。
【００１２】
また、本発明の請求項３にかかるビデオビットストリーム復号出力装置は、ビデオビットストリームの復号化処理を行う復号手段と、前記復号手段によって復号化されたフレームを格納する第１のメモリ手段と、前記第１のメモリ手段に格納されたフレームを入力とし、該入力されたフレームの信号を所定の手順に従って出力する画像補間手段と、前記画像補間手段から出力されたフレームを格納する第２のメモリ手段と、前記所定の手順として、前記第１のメモリ手段に格納されたフレームの奇数ラインを、前記第２のメモリ手段の偶数ラインへ出力し、前記第１のメモリ手段に格納されたフレームの偶数ラインを、前記第２のメモリ手段の奇数ラインへ出力し、最後のラインを出力しない前記画像補間手段と、前記ビデオビットストリーム中の情報または外部から入力された情報から、次に出力予定のフィールドを出力するかどうかを判定し、出力しない場合に、前記出力予定フィールドの次のフィールドから出力するためのスキップ信号と、前記第１のメモリ手段または前記第２のメモリ手段への接続を切替えるための切替信号を出力する制御手段と、前記第１のメモリ手段に格納されたフィールドの出力と、前記第２のメモリ手段に格納されたフィールドの出力とを入力とし、前記制御手段からの切替信号により出力を切り替える切替手段と、映像同期信号の出力を行う映像同期信号生成手段と、前記切替手段から出力されたフィールドを、前記映像同期信号に多重して映像出力を行う映像出力手段とを備えた、ことを特徴とするものである。
【００１３】
また、本発明の請求項４にかかるビデオビットストリーム復号出力装置は、ビデオビットストリームの復号化処理を行うとともに、ビデオビットストリーム中の情報から復号画像がプログレッシブ画像であることを判定する復号処理手段と、前記復号手段によって復号化されたフレームを格納する第１のメモリ手段と、前記第１のメモリ手段に格納されたフレームの奇数ラインを含むトップフィールドまたは偶数ラインを含むボトムフィールドの補間処理を行う画像補間手段と、前記画像補間手段によって補間されたフレームを格納する第２のメモリ手段と、上記入力されたビデオビットストリームがプログレッシブ画像ではない場合は、前記ビデオビットストリーム中の情報または外部から入力された情報から、次に出力予定のフィールドを出力するかどうかを判定し、出力しない場合に、前記出力予定フィールドの次のフィールドから出力するためのスキップ信号と、前記第１のメモリ手段または前記第２のメモリ手段への接続を切替えるための切替信号を出力し、上記入力されたビデオビットストリームがプログレッシブ画像であった場合は、画像補間処理を行わないと判定し、切替信号を出力しない制御手段と、前記第１のメモリ手段に格納されたフィールドの出力と、前記第２のメモリ手段に格納されたフィールドの出力を入力とし、前記制御手段からの切替信号により出力を切り替える切替手段と、映像同期信号の出力を行う映像同期信号生成手段と、前記切替手段から出力されたフィールドを、前記映像同期信号に多重して映像出力を行う映像出力手段とを備えた、ことを特徴とするものである。
【００１４】
また、本発明の請求項５にかかるビデオビットストリーム復号出力装置は、ビデオビットストリームの復号化処理を行うとともに、ビデオビットストリーム中の情報からフィールド単位で符号処理された画像かつ双方向予測符号化画像（Ｂピクチャ）であることを判定する復号手段と、前記復号手段によって復号化されたフレームを格納する第１のメモリ手段と、前記第１のメモリ手段に格納されたフレームの奇数ラインを含むトップフィールドまたは偶数ラインを含むボトムフィールドの補間処理を行う画像補間手段と、前記画像補間手段によって補間されたフレームを格納する第２のメモリ手段と、上記入力されたビットストリームが、フィールド単位で符号処理された画像でかつ双方向予測符号化画像（Ｂピクチャ）ではない場合は、前記ビデオビットストリーム中の情報または外部から入力された情報から次に出力予定のフィールドを出力するか否かを判定し、出力しない場合に前記出力予定フィールドの次のフィールドから出力するためのスキップ信号と、前記第１のメモリ手段または前記第２のメモリ手段への接続を切替えるための切替信号を出力し、上記入力されたビットストリームが、フィールド単位で符号処理された画像かつ双方向予測符号化画像（Ｂピクチャ）である場合は、１フィールド復号処理信号を出力する制御手段と、前記第１のメモリ手段に格納されたフィールドの出力と、前記第２のメモリ手段に格納されたフィールドの出力とを入力とし、前記制御手段からの切替信号により出力を切り替える切替手段と、映像同期信号の出力を行う映像同期信号生成手段とを備え、前記切替手段から出力されたフィールドを前記映像同期信号に多重して映像出力を行う映像出力手段とを有し、前記復号処理手段は、１フィールド復号処理信号を受けたときは、指定されたフィールドの復号処理を行わない、ことを特徴とするものである。
【発明の効果】
【００１５】
本発明にかかるビデオビットストリーム復号出力装置は、再生時間を早めるためフィールドのスキップを行う場合は、復号化した画像のトップフィールドまたはボトムフィールドの映像出力を行わず、フィールドのスキップから次のフィールドのスキップが発生するまでのフィールド反転が発生する期間は、トップフィールドまたはボトムフィールドの複数ラインから補間した画像を出力するようにしたから、スキップによって発生する前後の動きの連続性の損失を最小限に抑えることが出来、従来技術と比較し、より滑らかな動画再生を実現することができる。
【発明を実施するための最良の形態】
【００１６】
（実施の形態１）
以下、本発明の実施の形態にかかるビデオビットストリーム復号出力装置について、図面を参照しながら説明する。
図１は、本発明の実施の形態１に係るビデオビットストリーム復号出力装置１００の構成を示すブロック図である。
図１において、２００は、第１の入力端子であり、ビデオビットストリーム２００ａの入力を行う。
【００１７】
２５０は、第２の入力端子であり、映像出力形式情報や、高速再生情報の入力を行う。３００は、制御手段であり、映像同期信号生成手段８００からの制御手段起動信号１１００を受けて処理を開始し、入力されたビデオビットストリーム中の情報や、映像出力形式情報や、高速再生情報を基に、再生時間を早めるため復号化した画像をスキップするか否かを判定し、スキップする場合は、スキップ信号１２００と、切替信号１３００を出力する。また、後述する復号手段４００へ復号手段起動信号１４００を出力し、映像同期信号生成手段８００へ起動タイミング変更通知８００ｂを行う。
【００１８】
４００は、復号手段であり、上記制御手段３００からの起動指示１４００を受けて、第１の入力端子２００からビデオビットストリーム２００ａを読み込み、１フレームの復号処理を行う。
【００１９】
５００は第１のメモリ手段であり、上記復号手段４００によって復号化されたフレーム４００ｂを格納する。６００は画像補間手段であり、上記第１のメモリ手段５００に格納された複数のフレーム５００ａに対し、フレームの補間処理を行う。６５０は第２のメモリ手段であり、上記画像補間手段６００によって補間処理されたフレーム６００ａを格納する。
【００２０】
５５０は切替手段であり、上記制御手段３００からの切替信号１３００により、上記第１のメモリ手段５００側、または第２のメモリ手段６５０側へスイッチを切り替えることで入力信号を選択して出力する。
【００２１】
７００は映像出力手段であり、上記切替手段５５０の出力に、後述する映像同期信号生成手段８００からの映像同期信号８００ｃを多重してインターレース映像出力を行う。
【００２２】
上記映像同期信号生成手段８００は、インターレース映像出力をするための映像同期信号の生成や、制御手段３００への制御手段起動信号１１００の出力を行う。
【００２３】
以上のように構成された本実施の形態１によるビデオビットストリーム復号出力装置１００について、以下、その動作について説明する。
【００２４】
図２は、本実施の形態１のビデオビットストリーム復号出力装置１００の時間軸での動作を表す図である。
【００２５】
垂直同期信号１０００は、映像同期信号生成手段８００によって生成される信号であり、ＮＴＳＣ方式映像出力の場合は６０Ｈｚ、ＰＡＬ方式映像出力の場合は５０Ｈｚで、フィールド画像の映像出力タイミングを図る信号である。
【００２６】
映像同期信号生成手段８００は、制御手段３００からの起動タイミング変更通知８００ｂがない限り、垂直同期信号１０００の２回の信号立ち上がりに１回、制御手段３００へ制御手段起動信号１１００を出力する。
【００２７】
制御手段３００は、制御手段起動信号１１００を受けて起動する。図３は、本実施の形態１における制御手段３００の動作フローチャートを示す図である。
【００２８】
制御手段３００は、最初に、ビデオビットストリーム中の情報や、第２の入力端子２５０から得た情報を元に、再生時間を早めるために第１のメモリ手段５００に格納された出力予定のフィールドのスキップを行うか否かを判定する（ステップＳ２０２０）。
【００２９】
ここで、フィールドのスキップとは、出力予定のフィールドの映像出力を行わず、その次に出力予定のフィールドから映像出力を行うことである。
【００３０】
フィールドのスキップは、復号手段４００から得たビデオビットストリーム中の情報から、該ビデオビットストリームがＮＴＳＣ方式でエンコードされた、１秒間に６０フィールドのコマ数を持つ素材であることを判定した場合であって、かつ入力端子２５０からの映像出力形式情報で、１秒間に５０フィールド出力するＰＡＬ方式で出力する指示があった場合や、入力端子２５０からの高速再生情報で、高速再生指示があった場合に行う。
【００３１】
フィールドのスキップを行う場合は、１フィールド時間分再生時間を早めることにより出力フィールドが反転することを防止するため、第１のメモリ手段５００側と、第２のメモリ手段６５０側との間で接続を切り替える切替信号１３００を、切替手段５５０へ通知する（ステップＳ２０４０）。
【００３２】
また、出力予定のフィールドの映像出力を行わず、その次に出力予定のフィールドから、映像出力を行うために、スキップ信号１２００を切替手段５５０へ通知し（ステップＳ２０４５）、映像同期信号生成手段８００へ起動タイミング変更通知８００ｂを行う（ステップＳ２０５０）。
最後に、復号手段４００へ復号手段起動信号１１００を出力し（ステップＳ２０６０）、処理を終える。
【００３３】
次に、図２に戻り、動作の説明を続ける。
制御手段３００が起動タイミング変更通知８００ｂを行うことにより、映像同期信号生成手段８００は、映像同期信号１０００の次の立ち上がりで、制御手段３００を起動する（図２におけるＸ，Ｙ参照）。
【００３４】
復号手段４００は、制御手段３００の起動を受けて、入力端子２００からビデオビットストリーム２００ａを読み込み、１フレームの復号処理を行い、復号後のフレームを、第１のメモリ手段５００に格納する。すなわち、ａ（ｔ），ａ（ｂ）、ｂ（ｔ），ｂ（ｂ）、ｃ（ｔ），ｃ（ｂ）、ｄ（ｔ），ｄ（ｂ）、ｅ（ｔ），ｅ（ｂ）、ｆ（ｔ），ｆ（ｂ）を、格納する。
【００３５】
また、ビデオビットストリーム中から、ＮＴＳＣ方式またはＰＡＬ方式でエンコードされた素材かどうかの情報を取得し、制御手段３００へ通知する。
【００３６】
次に、本実施の形態１における画像補間手段６００について説明する。
図４（ａ）は、画像補間手段６００により、上記第１のメモリ手段５００に格納されたフレームのボトムフィールドを補間処理して、トップフィールドを生成する様子を示す図である。
【００３７】
画像補間手段６００は、第１のメモリ手段５００のフレームの偶数ライン２ｉ、４ｉを読み出し、平均化して、第２のメモリ手段６５０の奇数ライン３ｏへ格納する。
【００３８】
次に、第１のメモリ手段５００の偶数ライン６ｉを読み出し、４ｉ、６ｉのラインを平均化して、第２のメモリ手段６５０の奇数ライン５ｏへ格納する。
【００３９】
以下、これを２４０本のラインについて繰り返す。これにより、第１のメモリ手段５００に格納されたフレームのボトムフィールドからトップフィールドを生成している（図２において、ｂ→ｔ）。
【００４０】
図４（ｂ）は、画像補間手段６００により、第１のメモリ手段５００に格納されたフレームのトップフィールドを補間処理して、ボトムフィールドに変換する様子を示す図である。
【００４１】
画像補間手段６００は、第１のメモリ手段５００のフレームの奇数ライン１ｉ、３ｉを読み出し、平均化して、第２のメモリ手段６５０の偶数ライン２ｏへ格納する。
【００４２】
次に、第１のメモリ手段５００のライン奇数ライン５ｉを読み出し、３ｉ、５ｉのラインを平均化して、第２のメモリ手段６５０の偶数ライン４ｏへ格納する。
【００４３】
以下、これを２４０本のラインについて繰り返す。これにより、第１のメモリ手段５００に格納されたフレームのトップフィールドからボトムフィールドを生成している（図２において、ｔ→ｂ）。
【００４４】
画像補間手段６００は、図４（ａ）、図４（ｂ）の処理を行い、第２のメモリ手段６５０に補間処理したフレームを格納する。すなわち、ａ（ｔ→ｂ），ａ（ｂ→ｔ）、ｂ（ｔ→ｂ），ｂ（ｂ→ｔ）、ｃ（ｔ→ｂ），ｃ（ｂ→ｔ）、ｄ（ｔ→ｂ），ｄ（ｂ→ｔ）、ｅ（ｔ→ｂ），ｅ（ｂ→ｔ）、ｆ（ｔ→ｂ），ｆ（ｂ→ｔ）を、格納する。
【００４５】
次に、図２に戻り、説明する。
第２のメモリ手段６５０には、画像補間手段６００によって補間処理したフレームが格納される。
【００４６】
切替手段５５０は、制御手段３００からのスキップ信号１２００により、出力予定のフィールドを読み込まず、出力予定の次のフィールドを読み込んで出力する。
【００４７】
また、切替信号１３００により、第１のメモリ手段５００、または第２のメモリ手段６５０へ接続を切替える。
【００４８】
図２において、切替手段５５０は、斜線部分のフィールドを選択して出力する。
映像出力手段７００は、切替手段５５０の出力を入力とし、映像同期信号生成手段８００から出力される映像同期信号８００ｃを多重して出力する。
【００４９】
本ビデオビットストリーム復号出力装置１００は、以上の処理を行うことにより、ビデオビットストリームの復号と、映像出力を行う。ここで、再生時間を早めるためフィールドのスキップを行う場合は、復号化した画像のトップフィールドまたはボトムフィールドの映像出力を行わず、フィールドのスキップから次のフィールドのスキップが発生するまでのフィールド反転が発生する期間は、トップフィールドまたはボトムフィールドの複数ラインから補間した画像を出力するようにしたことにより、スキップによって発生する前後の動きの連続性の損失を最小限に抑えることができ、従来技術と比較し、より滑らかな動画再生を実現することができる。
【００５０】
このような本実施の形態１によるビデオビットストリーム復号出力装置１００においては、制御手段３００は、最初に、ビデオビットストリーム中の情報や、第２の入力端子２５０から得た情報を基に、再生時間を早めるために第１のメモリ手段５００に格納された出力予定のフィールドのスキップを行うか否かを判定し、フィールドのスキップを行う場合は、１フィールド時間分再生時間を早めることによって出力フィールドが反転することを防止するために、切替信号１３００を切替手段５５０へ通知し、また、出力予定のフィールドの映像出力を行わず、その次に出力予定のフィールドから映像出力を行うためにスキップ信号１２００を切替手段５５０へ通知し、その後、映像同期信号生成手段８００への起動タイミング変更通知８００ｂ、および復号手段４００への復号手段起動信号１４００の出力、を行うようにしたものである。これにより、再生時間を早めるためフィールドのスキップを行う場合は、復号化した画像のトップフィールドまたはボトムフィールドの映像出力を行わず、フィールドのスキップから次のフィールドのスキップが発生するまでのフィールド反転が発生する期間は、トップフィールドまたはボトムフィールドの複数ラインから補間した画像を出力することにより、スキップによって発生する前後の動きの連続性の損失を最小限に抑えることができ、従来技術と比較し、より滑らかな動画再生を実現することができる。
【００５１】
（実施の形態２）
次に、本発明の実施の形態２によるビデオビットストリーム復号出力装置について図１０を用いて説明する。本実施の形態２によるビデオビットストリーム復号出力装置１０１は、画像補間手段６００の動作のみにおいて、上記実施の形態１と異なるものである。
【００５２】
すなわち、本実施の形態２におけるビデオビットストリーム復号出力装置１０１を構成する画像補間手段６０１は、第１のメモリ手段５００に格納されている３つのフィールドを入力とし、補間処理を行い、出力するものである。
【００５３】
ここで、３つのフィールドについて、出力すべきタイミングのフィールドを「現在のフィールド」、時間的に１つ前のフィールドを「過去のフィールド」、時間的に１つ先のフィールドを「未来のフィールド」と定義する。
【００５４】
次に、本実施の形態２の動作について、図５（ａ）および図５（ｂ）を用いて説明する。
図５（ａ）は、過去のトップフィールド、現在のボトムフィールド、未来のトップフィールドの補間処理を行い、現在のトップフィールドを生成する様子を示す図である。
【００５５】
本実施の形態２においては、画像補間手段６０１は、「過去のフィールド」の奇数ライン３ｉ、「現在のフィールド」の偶数ライン２’ｉ、４’ｉ、「未来のフィールド」の奇数ライン３’’ｉ、を読み出し、平均化して、第２のメモリ手段６５０の奇数ライン３ｏへ出力する。次に、「過去のフィールド」の奇数ライン５ｉ、「現在のフィールド」の偶数ライン４’ｉ、６’ｉ、「未来のフィールド」の奇数ライン５’’ｉを読み出し、平均化して第２のメモリ手段６５０の奇数ライン５ｏへ出力する。
【００５６】
以下、これを２４０本のラインを出力するまで繰り返す。
図５（ｂ）は、過去のボトムフィールド、現在のトップフィールド、未来のボトムフィールドの補間処理を行い、現在のボトムフィールドを生成する様子を示す図である。
【００５７】
本実施の形態２においては、画像補間手段６０１は、「過去のフィールド」の偶数ライン２ｉ、「現在のフィールド」の奇数ライン１’ｉ、３’ｉ、「未来のフィールド」の偶数ライン２’ ’ｉを読み出し、平均化して、第２のメモリ手段６５０の偶数ライン２ｏへ出力する。
【００５８】
次に、「過去のフィールド」の偶数ライン４ｉ、「現在のフィールド」の奇数ライン３’ｉ、５’ｉ、「未来のフィールド」の偶数ライン４’’ｉを読み出し、平均化して、第２のメモリ手段６５０の偶数ライン４ｏへ出力する。
【００５９】
以下、これを２４０本のラインを出力するまで繰り返す。
また、上記画像補間手段６０１は、図５（ａ）、図５（ｂ）の処理を行ったのち、第２のメモリ手段６５０に補間処理したフレームを格納する。
【００６０】
このように、本実施の形態２では、画像補間処理において、本実施の形態における画像補間手段６０１が、実施の形態１の画像補間手段６００よりも多くのフィールドを参照して補間画像を生成するようにしたので、実施の形態１に比し、より一層の画質の向上を期待することができる。
【００６１】
（実施の形態３）
次に、本発明の実施の形態３によるビデオビットストリーム復号出力装置について図１１を用いて説明する。説明する。本実施の形態３によるビデオビットストリーム復号出力装置１０２は、画像補間手段６００の動作のみにおいて、上記実施の形態１と異なるものである。
【００６２】
すなわち、本実施の形態３におけるビデオビットストリーム復号出力装置１０２を構成する画像補間手段６０２は、補間処理を行わず、第２のメモリ手段６５０へ格納するときの格納ラインを変更するようにしたものである。
【００６３】
次に、本実施の形態３の装置の動作について、図６（ａ）および図６（ｂ）を用いて説明する。
図６（ａ）は、第１のメモリ手段５００のボトムフィールドを、第２のメモリ手段６５０のトップフィールドに格納する様子を示す図である。
【００６４】
本実施の形態３における画像補間手段６０２、第１のメモリ手段５００の２ｉのラインを読み出し、第２のメモリ手段６５０の３ｏのラインに出力する。
【００６５】
次に、第１のメモリ手段５００の４ｉのラインを読み出し、第２のメモリ手段６５０の５ｏのラインに出力し、これを２４０本のラインを出力するまで繰り返す。ただし、第１のメモリ手段５００の最終の４８０ｉのラインを読み出したときは、第２のメモリ手段６５０に出力しない。
【００６６】
図６（ｂ）は、第１のメモリ手段５００のトップフィールドを、第２のメモリ手段６５０のボトムフィールドに格納する様子を示す。
【００６７】
本実施の形態３における画像補間手段６０２は、第１のメモリ手段５００の１ｉのラインを読み出し、第２のメモリ手段６５０の２ｏのラインに出力する。
【００６８】
次に、第１のメモリ手段５００の３ｉのラインを読み出し、第２のメモリ手段６５０の４ｏのラインに出力し、これを２４０本のラインを出力するまで繰り返す。
【００６９】
画像のボトムフィールドは、空間的にトップフィールドよりも１ライン下になければならないため、画像補間手段６０２は読み込んだラインの格納先を変更することにより、出力フィールドが反転する期間に反転することなく、再生を行うことが出来る。
【００７０】
このように、本実施の形態３においては、画像補間手段６０２は、補間処理を行わず、第２のメモリ手段６５０へ格納するときの格納ラインを変更するようにしたので、読み込んだラインの格納先を変更することのみにより画像補間を行うことができ、簡易に、実施の形態１または実施の形態２と同様の効果を得ることができる。また、画像を加工することなく出力を行うことができるため、実施の形態１、２と比較し、さらに画質の良い動画再生を実現することができる。
【００７１】
（実施の形態４）
次に、本発明の実施の形態４によるビデオビットストリーム復号出力装置について図１２を用いて説明する。本実施の形態３によるビデオビットストリーム復号出力装置１０３は、制御手段３００の動作の一部のみにおいて、上記実施の形態１と異なるものである。
【００７２】
すなわち、図７は、本発明の実施の形態４におけるビデオビットストリーム復号出力装置１０２を構成する制御手段３０１の動作を示すフローチャートである。
【００７３】
制御手段３０１は、復号手段４００から通知されるビデオビットストリーム中の情報より、復号処理を行うビデオビットストリームがプログレッシブ画像であるかどうかを判定する（ステップＳ２０２５）。
その他のステップは、上述した実施の形態におけるものと同様である。
【００７４】
次に、本実施の形態４の装置の動作を、図７のフローを用いて説明する。
入力されたビデオビットストリームがプログレッシブ画像でない場合は、実施の形態１と同様に、すなわち、フィールドのスキップを行う場合は、１フィールド時間分再生時間を早めることにより出力フィールドが反転することがないように、第１のメモリ手段５００側と、第２のメモリ手段６５０側との間で接続を切り替える切替信号１３００を、切替手段５５０へ通知する。
【００７５】
入力されたビデオビットストリームがプログレッシブ画像である場合は、第１のメモリ手段５００側へスイッチを切替えるように、切替信号１３００を出力する（ステップＳ２０４７）。
【００７６】
これを受けて、切替手段５５０は、第１のメモリ手段５００側に接続し、映像出力手段７００は、第１のメモリ手段５００に格納されたフレームの映像出力を行う。
【００７７】
プログレッシブ画像は、トップフィールドとボトムフィールドのサンプリングされた時刻が同じため、先に映像出力するフィールドはトップフィールドでもよいし、ボトムフィールドでもよい。
【００７８】
従って、スキップから次のスキップが発生するまでのフィールド反転が発生する期間も、メモリ手段に格納された画像をそのまま映像出力することにより、元画像をそのまま映像出力することが出来、画質の良い再生を行うことができる。
【００７９】
このような本実施の形態４においては、制御手段３０１は、復号手段４００から通知されるビデオビットストリーム中の情報より、復号処理を行うビデオビットストリームがプログレッシブ画像であるかどうかを判定し、プログレッシブ画像でない場合は、実施の形態１と同様の切替信号１３００を用いた切替手段５５０による切り替えを行い、プログレッシブ画像である場合は、これとは異なる切替信号１３００を用いた切り替え手段５５０による切り替えにより、映像出力手段７００が、第１のメモリ手段５００に格納されたフレームの映像出力を行うようにしたので、プログレッシブ画像の特徴を用いて、画質の良い再生を行うことができる、簡易な構成のビットストリーム映像出力装置を得られる効果がある。
【００８０】
（実施の形態５）
次に、本発明の実施の形態５によるビデオビットストリーム復号出力装置について図１３を用いて説明する。本実施の形態３によるビデオビットストリーム復号出力装置１０４は、制御手段３０２と、復号手段４０１の動作において、上記実施の形態１と異なるものである。
【００８１】
図８は、本実施の形態５による装置における、制御手段３０２の動作を示すフローチャートである。
制御手段３０２は、画像スキップを行う場合、復号手段４０１から通知されるビデオビットストリーム中の情報より、復号処理を行うビデオビットストリームがフィールド単位で復号処理された画像であり、かつＢピクチャであるか否かを判定する（ステップＳ２０５３）。
【００８２】
そうである場合は、スキップするフィールドの復号処理を行わないために、復号手段４０１へ１フィールド復号処理通知１４００を行い（ステップＳ２０５６）、復号手段４０１へ復号手段起動信号１１００を出力する（ステップＳ２０６０）。
【００８３】
次に、復号手段４０１による処理について述べる。
復号手段４０１は、制御手段３０２から復号手段起動信号１１００を受けると、通常１フレームの復号処理を行うが、制御手段３０２から１フィールド復号処理信号１４００を受けて起動した場合、指定されたフィールドの復号処理をスキップする。
【００８４】
スキップするフィールドの復号処理を行わないことにより、復号処理に要する時間の削減が可能となり、ビデオビットストリーム復号出力装置１０４のリアルタイム性を確保することができる。
【００８５】
このように、本実施の形態５においては、画像スキップを行う場合、復号手段４０１から通知されるビデオビットストリーム中の情報より、復号処理を行うビデオビットストリームがフィールド単位で復号処理された画像であり、かつＢピクチャであるか否かを判定し、そうである場合は、スキップするフィールドの復号処理を行わないようにしたので、復号処理に要する時間を削減することが可能となり、ビデオビットストリーム復号出力装置１０４のリアルタイム性を確保することができる効果が得られる。
【産業上の利用可能性】
【００８６】
本発明にかかるビデオビットストリーム復号出力装置は、再生時間を早めるためのフィールドスキップ機能を有し、ＮＴＳＣ方式でエンコードされたディスクを、ＰＡＬ方式のテレビで再生するためのＮＴＳＣ→ＰＡＬ変換機能や、特殊再生での倍速機能などを利用する場合において、有用である。
【図面の簡単な説明】
【００８７】
【図１】本発明の実施の形態１によるビデオビットストリーム復号出力装置を示す構成図。
【図２】本発明の実施の形態１、２、３、４、および５によるビデオビットストリーム復号出力装置の動作タイミング図。
【図３】本発明の実施の形態１、２、３における制御手段３００の動作フローチャートを記載した図。
【図４（ａ）】本発明の実施の形態１における画像補間手段６００の処理内容を示す図。
【図４（ｂ）】本発明の実施の形態１における画像補間手段６００の処理内容を示す図。
【図５（ａ）】本発明の実施の形態２における画像補間手段６００の処理内容を示す図。
【図５（ｂ）】本発明の実施の形態２における画像補間手段６００の処理内容を示す図。
【図６（ａ）】本発明の実施の形態３における画像補間手段６００の処理内容を示す図。
【図６（ｂ）】本発明の実施の形態３における画像補間手段６００の処理内容を示す図。
【図７】本発明の実施の形態４における制御手段３００の動作フローチャートを記載した図。
【図８】本発明の実施の形態５における制御手段３００の動作フローチャートを記載した図。
【図９】従来の画像スキップ方法を示す図。
【図１０】本発明の実施の形態２によるビデオビットストリーム復号出力装置を示す構成図。
【図１１】本発明の実施の形態３によるビデオビットストリーム復号出力装置を示す構成図。
【図１２】本発明の実施の形態４によるビデオビットストリーム復号出力装置を示す構成図。
【図１３】本発明の実施の形態５によるビデオビットストリーム復号出力装置を示す構成図。
【符号の説明】
【００８８】
１００〜１０４  ビデオビットストリーム復号出力装置
２００  第1の入力端子
２５０  第２の入力端子
３００，３００１，３０２    制御手段
４００，４０１    復号手段
５００  第1のメモリ手段
５５０  切替手段
６００，６０１，６０２  画像補間手段
６５０  第２のメモリ手段
７００  映像出力手段
８００  映像同期信号生成手段
【図１】
2005348169.tif 000003
【図２】
2005348169.tif 000004
【図３】
2005348169.tif 000005
【図４（ａ）】
2005348169.tif 000006
【図４（ｂ）】
2005348169.tif 000007
【図５（ａ）】
2005348169.tif 000008
【図５（ｂ）】
2005348169.tif 000009
【図６（ａ）】
2005348169.tif 000010
【図６（ｂ）】
2005348169.tif 000011
【図７】
2005348169.tif 000012
【図８】
2005348169.tif 000013
【図９】
2005348169.tif 000014
【図１０】
2005348169.tif 000015
【図１１】
2005348169.tif 000016
【図１２】
2005348169.tif 000017
【図１３】
2005348169.tif 000018